(57)【要約】【課題】  表示品位が低下することがなく、且つ、防水性能を維持することができる表示装置を提供するものである。【解決手段】  表示パネル１０は、画像を表示する。保護パネル部材２０は、画像を透視可能である。環状のパッキン５０は、保護パネル部材２０の縁部に設けられる。ケース体３０は、表示パネル１０を収納する。表示パネル１０は、透光性接着剤１５にて保護パネル部材２０に接着されている。ケース体３０は、樹脂からなり、パッキン５０を押圧する上ケース３１と下ケース３２とを有する。上ケース３１は、保護パネル部材２０に接していない。上ケース３１は、下ケース３２に当接する当接部３１ｄを有する。下ケース３２は、タッピングネジ３５によって上ケース３１に固定されている。【選択図】  図２
2015135430.tif 000002
【特許請求の範囲】
【請求項１】
画像を表示する表示パネルと、前記画像を透視可能である保護パネル部材と、前記保護パネル部材の縁部に設けられた環状のパッキンと、前記表示パネルを収納するケース体と、を備え、前記表示パネルが透光性接着剤にて前記保護パネル部材に接着されている表示装置であって、
前記ケース体は、樹脂からなり、前記パッキンを押圧する上ケースと下ケースとを有すると共に、前記上ケースは、前記保護パネル部材に接していないことを特徴とする表示装置。
【請求項２】
前記下ケースは、前記保護パネル部材に接していないことを特徴とする請求項１に記載の表示装置。
【請求項３】
前記上ケースは、前記下ケースに当接する当接部を有することを特徴とする請求項１に記載の表示装置。
【請求項４】
前記下ケースは、タッピングネジによって前記上ケースに固定されていることを特徴とする請求項１に記載の表示装置。
【請求項５】
前記下ケースは、前記タッピングネジが挿通されるフランジ部を有することを特徴とする請求項４に記載の表示装置。
【発明の詳細な説明】
【技術分野】
【０００１】
本発明は、画像を表示する表示パネルを備えた表示装置に関するものである。
【背景技術】
【０００２】
従来より、保護パネルに表示パネルを接着した表示装置が種々提案されており、例えば特許文献１に開示されている。斯かる表示装置は、表示パネルと、表示パネルの前面を覆う透光性の保護パネルと、表示パネルと保護パネルとの間に隙間無く介在し光硬化性樹脂からなるボンディング層と、表示パネルを収容し保護パネルを透して表示パネルの表示面を視認可能とするための開口部を有する筐体とを備えている。このような表示装置においては、表示パネルと保護パネルとの間にボンディング層が介在し、ボンディング層は保護パネルの背面に密着しているので、保護パネルの背面に結露が生じることがない。
【先行技術文献】
【特許文献】
【０００３】
【特許文献１】特開２０１２−６８４２６号公報
【発明の概要】
【発明が解決しようとする課題】
【０００４】
しかしながら、特許文献1に記載の表示装置は、保護パネルと筐体との対向面間にガスケットを挟むことで防水構造が構成され、その筐体の開口部と保護パネルが接触しているために、固定ビスを強く締め込んだ場合には筐体開口部から保護パネルに不均等な圧力が加わることで保護パネルが変形し、ボンディング層を介して表示パネルに歪が生じて表示品位が低下するという課題を有していた。
【０００５】
また、保護パネルが変形しない程度の固定ビスの締め込み設定とした場合、筐体の開口部と保護パネルが接触しているため、ガスケットに十分な圧縮力を加えることができない虞があり、屋外で使用する二輪車用表示器、船舶用表示器、建設機械用表示器および農機用表示器として使用する場合には、筐体に外部から大きな振動が加わるため、長期間に渡って防水性能を維持できないという課題を有していた。
【０００６】
本発明は、前記課題を解消するため、表示品位が低下することがなく、且つ、防水性能を維持することができる表示装置を提供するものである。
【課題を解決するための手段】
【０００７】
本発明は、画像を表示する表示パネル１０と、前記画像を透視可能である保護パネル部材２０と、前記保護パネル部材２０の縁部に設けられた環状のパッキン５０と、前記表示パネル１０を収納するケース体３０と、を備え、前記表示パネル１０が透光性接着剤１５にて前記保護パネル部材２０に接着されている表示装置であって、前記ケース体３０は、樹脂からなり、前記パッキン５０を押圧する上ケース３１と下ケース３２とを有すると共に、前記上ケース３１は、前記保護パネル部材２０に接していないものである。
【０００８】
また、本発明は、前記下ケース３２は、前記保護パネル部材２０に接していないものである。
【０００９】
また、本発明は、前記上ケース３１は、前記下ケース３２に当接する当接部３１ｄを有するものである。
【００１０】
また、本発明は、前記下ケース３２は、タッピングネジ３５によって前記上ケース３１に固定されているものである。
【００１１】
また、本発明は、前記下ケース３２は、前記タッピングネジ３５が挿通されるフランジ部３２ｃを有するものである。
【発明の効果】
【００１２】
表示品位が低下することがなく、且つ、防水性能を維持することができる。
【図面の簡単な説明】
【００１３】
【図１】本発明の第一実施形態を示す正面図。
【図２】同上実施形態を示す断面図。
【図３】同上実施形態を示す要部拡大断面図。
【図４】同上実施形態を示す要部拡大断面図。
【図５】本発明の第二実施形態を示す要部拡大断面図。
【図６】本発明の第三実施形態を示す要部拡大断面図。
【図７】本発明の第四実施形態を示す要部拡大断面図。
【発明を実施するための形態】
【００１４】
以下、添付図面に基づいて、本発明の一実施形態を説明する。図１乃至図４は、第一実施形態を示すものである。車両用表示装置は、液晶表示パネル１０，カバープレート２０，ケース体３０，回路基板４０，パッキン５０を備えている。
【００１５】
液晶表示パネル１０は、ＴＦＴ型カラー液晶モジュールからなるものであり、車両速度等の車両情報を表示する。液晶表示パネル１０は、マルチドットやセグメントタイプのものであっても良く、単色表示やフルカラー表示は問わない。また、表示パネルはＥＬモジュールであっても良い。液晶表示パネル１０は、透光性接着剤１５にてオプティカルボンディングされており、カバープレート２０の後面に密着されている。透光性接着剤１５は、光硬化型の接着剤である。
【００１６】
カバープレート２０は、平板形状の透明な基板２１の後面に黒色印刷層からなる遮光部２２を形成したものであり、正面視で矩形になっている。カバープレート２０の基板２１は、無機ガラスからなるものであっても良いし、アクリル等の有機ガラスからなるものであっても良い。カバープレート２０の遮光部２２は、液晶表示パネル１０の画像を透視可能にする矩形の窓部２２ａを有している。
【００１７】
ケース体３０は、ＡＥＳ，ＡＢＳ，ＰＰ等の樹脂からなるものであり、上ケース３１及び下ケース３２を有している。ケース体３０には、液晶表示パネル１０，回路基板４０が収容されている。ケース体３０の上ケース３１は、液晶表示パネル１０に略平行な前壁部３１ａと、この前壁部３１ａの外縁から垂直に形成された周壁部３１ｂと、前壁部３１ａの内縁に設けられた隠蔽部３１ｃと、下ケース３２に当接するボス部３１ｄと、を有している。上ケース３１のボス部３１ｄは、略円柱形状になっており、タッピングネジ３５が挿入される下穴３１を有している。
【００１８】
上ケース３１の隠蔽部３１ｃは、パッキン５０が視認され難いように隠蔽するものである。上ケース３１の隠蔽部３１ｃは、前壁部３１ａの後面よりもカバープレート２０に向かって突出した突出部３１ｇを有している。隠蔽部３１ｃの前面は、傾斜面になっている。上ケース３１の隠蔽部３１ｃには、液晶表示パネル１０の画像を視認するための矩形の開口部３１ｆが形成されており、この開口部３１ｆは、遮光部２２の窓部２２ａと略同じ大きさになっている。
【００１９】
ケース体３０の下ケース３２は、液晶表示パネル１０に略平行な底壁部３２ａと、この底壁部３２ａの外縁から垂直に形成された側壁部３２ｂと、この側壁部３２ｂからの前端部から垂直に設けられたフランジ部３２ｃとを有している。下ケース３２のフランジ部３２ｃには、タッピングネジ３５が挿通される下穴３２ｋが形成されている。下ケース３２は、タッピングネジ３５によって上ケース３１に固定されている。下ケース３２は、カバープレート２０に接していない。
【００２０】
回路基板４０は、ガラスエポキシ樹脂からなる基材に銅箔からなる配線パターンを形成したものである。液晶表示パネル１０は、図示しない可撓性配線部材によって回路基板４０に電気的に接続されている。パッキン５０は、ＥＰＤＭ，クロロプレンゴム，フッ素ゴム等の防水ゴムからなるものである。パッキン５０は、ゴム硬度ショア６０度（TYPE A）以下であることが望ましい。パッキン５０は、正面視で環状になっており、カバープレート２０の縁部に設けられている。パッキン５０は、断面がコ字状になっており、カバープレート２０の前面に当接する前面部５１と、カバープレート２０の後面に当接する後面部５２と、カバープレート２０の周端面に当接する側面部５３とを有している。
【００２１】
タッピングネジ２５によって下ケース３２を上ケース３１に固定する際に、上ケース４１の前壁部３１ａがパッキン５０の前面部５１に当接し、下ケース３２のフランジ部３２ｃがパッキン５０の後面部５２に当接し、パッキン５０が上ケース３１と下ケース３１とによって押圧される。上ケース３１の突出部３１ｇとカバープレート２０とは、所定間隔Ｄを有しており、上ケース３１はカバープレート２０に接していない。
【００２２】
図５は第二実施形態を示すものである。上ケース３１は、溶着部６５によってフランジ部３２ｃに固定されている。上ケース３１のボス部３１ｄは、フランジ部３２ｃの前面に溶着されている。溶着方法として、レーザー溶着や、超音波溶着がある。
【００２３】
図６は第三実施形態を示すものである。上ケース３１のボス部３１ｄは、フランジ部３２ｃに熱溶着されている。ボス部３１ｄの溶着ピン３１ｐは、フランジ部３２ｃに挿通され、フランジ部３２の後面で溶融される。
【００２４】
図７は第四実施形態を示すものである。上ケース３１の周壁部３１ｂは、
係止３１ｓを有しており、この係止部３１ｓによって上ケース３１が下ケース３２に係止されている。ボス部３１ｄの後面は、フランジ部３２ｃの前面に当接している。
【００２５】
各実施形態によれば、液晶表示パネル１０に歪が生じて表示品位が低下することがなく、振動が大きく屋外で長期に渡って使用する表示装置であっても、耐振性が高く長期間に渡って防水性能を維持することができる。
【符号の説明】
【００２６】
１０    液晶表示パネル（表示パネル）
１５    透光性接着剤
２０    カバープレート（保護パネル部材）
３０    ケース体
３１    上ケース
３１ｄ  ボス部（当接部）
３２    下ケース
３２ｃ  フランジ部
３５    タッピングネジ
５０    パッキン（弾性部材）
【図１】
2015135430.tif 000003
【図２】
2015135430.tif 000004
【図３】
2015135430.tif 000005
【図４】
2015135430.tif 000006
【図５】
2015135430.tif 000007
【図６】
2015135430.tif 000008
【図７】
2015135430.tif 000009